(57)【特許請求の範囲】
【請求項１】
内箱と、前記内箱の外側に遊嵌される筒状の内スリーブと、前記内スリーブの外側に遊嵌される筒状の外スリーブとを備え、前記内スリーブ又は前記外スリーブを前記内箱に対してスライドさせることにより開閉が可能とされ、前記外スリーブを前記内スリーブに対してスライドさせることが可能とされた梱包装置であって、
前記内スリーブの前記内箱に対する一方向のスライド動作を係止する第一係合部と、前記外スリーブの前記内スリーブに対する一方向のスライド動作を係止する第二係合部とが設けられており、
前記内スリーブ及び前記外スリーブにより前記内箱が覆われて閉じられた状態において、前記外スリーブを前記内箱に対してスライドさせることにより前記内スリーブが前記外スリーブに押されて前記第一係合部が係合するまで前記内箱に対してスライドし、
前記第一係合部が係合してから前記第二係合部が係合するまで、前記外スリーブの前記内箱に対する前記スライドを同方向に続行することにより、前記外スリーブは前記内スリーブに対してもスライドし、
以上のスライド動作の結果、前記内スリーブが前記外スリーブ内に収められ、かつ、前記内スリーブ及び前記外スリーブから前記内箱の一端が突出して開かれた状態となることを特徴とする梱包装置。
【請求項２】
内箱と、前記内箱の外側に遊嵌される筒状の内スリーブと、前記内スリーブの外側に遊嵌される筒状の外スリーブとを備え、前記内スリーブ又は前記外スリーブを前記内箱に対してスライドさせることにより開閉が可能とされ、前記外スリーブを前記内スリーブに対してスライドさせることが可能とされた梱包装置であって、
前記内箱の一端に当接して前記内スリーブの前記内箱に対する一方向のスライド動作を係止する前記第三係合部が前記内スリーブの一端に設けられ、前記外スリーブの前記内スリーブに対する一方向のスライド動作を係止する第四係合部が設けられており、
前記内スリーブが前記外スリーブ内に収められ、かつ、前記内スリーブ及び前記外スリーブが前記内箱の一端から突出して開かれた状態において、前記外スリーブを前記内箱に対してスライドさせることにより前記外スリーブに保持された前記内スリーブは、前記第三係合部が前記内箱の一端に当接するまで、前記外スリーブとともに前記内箱に対してスライドし、
前記第三係合部が前記内箱の一端に当接してから前記第四係合部が係合するまで、前記外スリーブの前記内箱に対する前記スライドを同方向に続行することにより、前記外スリーブは前記内スリーブに対してもスライドし、
以上のスライド動作の結果、前記内スリーブ及び前記外スリーブにより前記内箱が覆われて閉じられた状態となることを特徴とする梱包装置。
【請求項３】
内箱と、前記内箱の外側に遊嵌される筒状の内スリーブと、前記内スリーブの外側に遊嵌される筒状の外スリーブとを備え、前記内スリーブ又は前記外スリーブを前記内箱に対してスライドさせることにより開閉が可能とされ、前記外スリーブを前記内スリーブに対してスライドさせることが可能とされた梱包装置であって、
前記内スリーブの前記内箱に対する一方向のスライド動作を係止する第一係合部と、前記外スリーブの前記内スリーブに対する一方向のスライド動作を係止する第四係合部が設けられており、
前記第四係合部が係合し前記内スリーブ及び前記外スリーブにより前記内箱が覆われて閉じられた状態において、前記内スリーブを前記内箱に対して前記第一係合部が係合するまでスライドさせることにより、前記内スリーブとともに前記第四係合部によってスライド動作が係止されたまま前記外スリーブが前記内スリーブに引かれて前記内箱に対してスライドし、
以上のスライド動作の結果、前記内スリーブが前記内箱の一端から突出し、かつ、前記外スリーブが前記内箱のほぼ半分を覆い前記内箱の残りのほぼ半分について開かれた状態となることを特徴とする梱包装置。
【請求項４】
内箱と、前記内箱の外側に遊嵌される筒状の内スリーブと、前記内スリーブの外側に遊嵌される筒状の外スリーブとを備え、前記内スリーブ又は前記外スリーブを前記内箱に対してスライドさせることにより開閉が可能とされ、前記外スリーブを前記内スリーブに対してスライドさせることが可能とされた梱包装置であって、
前記外スリーブの前記内スリーブに対する一方向のスライド動作を係止する第二係合部が設けられており、
前記内スリーブ及び前記外スリーブにより前記内箱が覆われて閉じられた状態において、前記外スリーブを前記内スリーブに対して前記第二係合部が係合するまでスライドさせることにより、
前記内スリーブが前記外スリーブ内に収められ、かつ、前記内スリーブ及び前記外スリーブが前記内箱のほぼ半分を覆い前記内箱の残りのほぼ半分について開かれた状態となることを特徴とする梱包装置。
【請求項５】
前記内スリーブと前記外スリーブとを合わせた長さが前記内箱の対応する方向の長さとほぼ等しいことを特徴とする請求項１から請求項４のうちいずれか一に記載の梱包装置。
【発明の詳細な説明】
【０００１】
【発明の属する技術分野】
本発明は、梱包装置に関するものである。
【０００２】
【従来の技術】
従来、物品を梱包する紙等の材料からなる梱包装置として、内箱と、スリーブからなるものがあった。例えば、内箱は底面部とこの底面部の外周に側壁部が立設され、上面に開口部を有する箱形に形成されたものであり、スリーブは両端開口又は一端開口の筒状のもので内箱を包囲するようになっている。かかるスリーブ内に内箱を抜き差しすることにより開け閉めができ、閉めた際、前記開口部がスリーブによって覆われるようになっているものがある。
【０００３】
【発明が解決しようとする課題】
しかし、従来の内箱とスリーブとからなる梱包装置は、スリーブを内箱に対してスライドさせて内箱をスリーブ内から取り出して開けた際、又は、閉めるために内箱の端部にスリーブの端部を嵌め合わせようとする際に、内箱とスリーブを合わせた最大寸法が大きくなり、開閉にスペースを要した。
また、従来の梱包装置にあっては、スリーブを内箱に対してスライドさせて内箱をスリーブ内から取り出す際に、そのまま、内箱がスリーブから抜けてしまうものであり、その結果、スリーブは内箱から分離してしまうので、スリーブを紛失しやすいという問題があった。
さらに、開閉時にスリーブは何ら変態せず、スリーブは内箱に対して全体的にスライドするのみであったので、その開閉動作は特に興味深い動きではなく、有り触れていた。
【０００４】
本発明は、内箱と、前記内箱を包囲するスリーブとを備える梱包装置において、開閉操作を簡便に行うことができ、開閉操作時の省スペース化を図ることを課題とする。
また、内箱と、前記内箱を包囲するスリーブとを備える梱包装置の部品の紛失を防止することを課題とする。
さらに、内箱と、前記内箱を包囲するスリーブとを備える梱包装置において、開閉動作の興味深さを向上することを課題とする。
【０００５】
【課題を解決するための手段】
以上の課題を解決するため請求項１記載の発明は、例えば図１及び図２に示すように、内箱１と、前記内箱の外側に遊嵌される筒状の内スリーブ２と、前記内スリーブ２の外側に遊嵌される筒状の外スリーブ３とを備え、前記内スリーブ２又は前記外スリーブ３を前記内箱に対してスライドさせることにより開閉が可能とされ、前記外スリーブ３を前記内スリーブ２に対してスライドさせることが可能とされた梱包装置であって、
前記内スリーブ２の前記内箱に対する一方向のスライド動作を係止する第一係合部１a，２aと、前記外スリーブ３の前記内スリーブ２に対する一方向のスライド動作を係止する第二係合部２c，３aとが設けられており、
前記内スリーブ２及び前記外スリーブ３により前記内箱が覆われて閉じられた状態（図１(a)及び図２(a)）において、前記外スリーブ３を前記内箱に対してスライドさせることにより前記内スリーブ２が前記外スリーブ３に押されて前記第一係合部が係合するまで前記内箱に対してスライドし（図１及び図２の(a)→図１及び図２の(b)→図１及び図２の(c)）、
前記第一係合部が係合してから前記第二係合部が係合するまで（図１及び図２の(c)→図１及び図２の(d)）、前記外スリーブ３の前記内箱に対する前記スライドを同方向に続行することにより、前記外スリーブ３は前記内スリーブ２に対してもスライドし、
以上のスライド動作の結果、前記内スリーブ２が前記外スリーブ３内に収められ、かつ、前記内スリーブ２及び前記外スリーブ３から前記内箱の一端が突出して開かれた状態（図１(d)及び図２(d)）となることを特徴とする梱包装置である。
【０００６】
したがって請求項１記載の発明によれば、内スリーブ２及び外スリーブ３からなるスリーブを内箱に対してスライドさせて開ける際に、外スリーブ３を内箱に対してスライドさせる簡便な操作によって、内外の各スリーブのスライド方向の長さを縮めつつ内箱を開けることができる。このため、スリーブが縮まるので内箱の長さと伸び切った状態のスリーブの長さとを合わせた長さより短い長さ分のスペースで開操作を行うことができ、開操作時の省スペース化が図られる。
また、そのような開操作時のスリーブの縮小が見る者にとって興味深い動きとなって、開動作の興味深さが向上する。
さらに、内スリーブ２及び外スリーブ３は第一係合部及び第二係合部の働きにより内箱の一端に保持されるので、スリーブと内箱とが分離することは無く、梱包装置の部品の紛失が防がれる。
【０００７】
請求項２記載の発明は、例えば図３及び図４に示すように、内箱１と、前記内箱の外側に遊嵌される筒状の内スリーブ２と、前記内スリーブ２の外側に遊嵌される筒状の外スリーブ３とを備え、前記内スリーブ２又は前記外スリーブ３を前記内箱に対してスライドさせることにより開閉が可能とされ、前記外スリーブ３を前記内スリーブ２に対してスライドさせることが可能とされた梱包装置であって、
前記内箱の一端に当接して前記内スリーブ２の前記内箱に対する一方向のスライド動作を係止する前記第三係合部２dが前記内スリーブ２の一端に設けられ、前記外スリーブ３の前記内スリーブ２に対する一方向のスライド動作を係止する第四係合部２b，３bが設けられており、
前記内スリーブ２が前記外スリーブ３内に収められ、かつ、前記内スリーブ２及び前記外スリーブが前記内箱の一端から突出して開かれた状態（図３(a)及び図４(a)）において、前記外スリーブ３を前記内箱に対してスライドさせることにより前記外スリーブ３に保持された前記内スリーブ２は、前記第三係合部が前記内箱の一端に当接するまで、前記外スリーブ３とともに前記内箱に対してスライドし（図３及び図４の(a)→図３及び図４の(b)）、
前記第三係合部が前記内箱の一端に当接してから前記第四係合部が係合するまで（図３及び図４の(b)→図３及び図４の(c)→図３及び図４の(d)）、前記外スリーブ３の前記内箱に対する前記スライドを同方向に続行することにより、前記外スリーブは前記内スリーブに対してもスライドし、
以上のスライド動作の結果、前記内スリーブ２及び前記外スリーブ３により前記内箱が覆われて閉じられた状態（図３(d)及び図４(d)）となることを特徴とする梱包装置である。
【０００８】
したがって請求項２記載の発明によれば、内スリーブ２及び外スリーブ３からなるスリーブを内箱に対してスライドさせて閉める際に、外スリーブ３を内箱に対してスライドさせる簡便な操作によって、内外の各スリーブのスライド方向の長さを伸ばしつつ内箱を閉めることができる。このため、スリーブが縮まった状態から伸びるので内箱の長さと伸び切った状態のスリーブの長さとを合わせた長さより短い長さ分のスペースで閉操作を行うことができ、閉操作時の省スペース化が図られる。
また、そのような閉操作時のスリーブの伸張が見る者にとって興味深い動きとなって、閉動作の興味深さが向上する。
さらに、内スリーブ２及び外スリーブ３は第三係合部及び第四係合部の働きによりそれぞれ内箱の所定位置に保持されるので、スリーブと内箱とが分離することは無く、梱包装置の部品の紛失が防がれる。
【０００９】
請求項３記載の発明は、例えば図５及び図６に示すように、内箱１と、前記内箱の外側に遊嵌される筒状の内スリーブ２と、前記内スリーブの外側に遊嵌される筒状の外スリーブ３とを備え、前記内スリーブ２又は前記外スリーブ３を前記内箱に対してスライドさせることにより開閉が可能とされ、前記外スリーブ３を前記内スリーブ２に対してスライドさせることが可能とされた梱包装置であって、
前記内スリーブ２の前記内箱に対する一方向のスライド動作を係止する第一係合部１a，２aと、前記外スリーブ３の前記内スリーブ２に対する一方向のスライド動作を係止する第四係合部２b，３bが設けられており、
前記第四係合部が係合し前記内スリーブ２及び前記外スリーブ３により前記内箱が覆われて閉じられた状態（図５(a)及び図６(a)）において、前記内スリーブ２を前記内箱に対して前記第一係合部が係合するまでスライドさせることにより、第四係合部によって前記内スリーブに対する前記スライド動作が係止された前記外スリーブが前記内スリーブ２に引かれて前記内箱に対してスライドし、
以上のスライド動作の結果、前記内スリーブが前記内箱の一端から突出し、かつ、前記外スリーブが前記内箱のほぼ半分を覆い前記内箱の残りのほぼ半分について開かれた状態（図５(b)及び図６(b)）となることを特徴とする梱包装置である。
【００１０】
したがって請求項３記載の発明によれば、内スリーブ２及び外スリーブ３からなるスリーブを内箱に対してスライドさせて半分ほど開ける際に、内スリーブ２を内箱に対してスライドさせる簡便な操作によって、梱包装置を半分程開けることができる。
また、内スリーブ２及び外スリーブ３は第一係合部及び第四係合部の働きによりそれぞれ内箱の所定位置に保持されるので、スリーブと内箱とが分離することは無く、梱包装置の部品の紛失が防がれる。
【００１１】
請求項４記載の発明は、例えば図７又は図８に示すように、内箱１と、前記内箱の外側に遊嵌される筒状の内スリーブ２と、前記内スリーブ２の外側に遊嵌される筒状の外スリーブ３とを備え、前記内スリーブ２又は前記外スリーブ３を前記内箱に対してスライドさせることにより開閉が可能とされ、前記外スリーブ３を前記内スリーブに対してスライドさせることが可能とされた梱包装置であって、
前記外スリーブ３の前記内スリーブ２に対する一方向のスライド動作を係止する第二係合部２c，３aが設けられており、
前記内スリーブ２及び前記外スリーブ３により前記内箱が覆われて閉じられた状態（図７(a)及び図８(a)）において、前記外スリーブ３を前記内スリーブ２に対して前記第二係合部が係合するまでスライドさせることにより、
前記内スリーブ２が前記外スリーブ３内に収められ、かつ、前記内スリーブ２及び前記外スリーブ３が前記内箱のほぼ半分を覆い前記内箱の残りのほぼ半分について開かれた状態（図７(b)及び図８(b)）となることを特徴とする梱包装置である。
【００１２】
したがって請求項４記載の発明によれば、外スリーブ３を内スリーブ２に対してスライドさせる簡便な操作によって、内スリーブ２及び外スリーブ３は第二係合部の働きにより、内スリーブ２が外スリーブ３内に収められ状態で内箱寸法内の所定位置に保持されるので、全長を変えることなく半分ほど開けることができ、開操作時の省スペース化が図られるとともに、スリーブと内箱とが分離することが無く、梱包装置の部品の紛失が防がれる。
【００１３】
請求項５記載の発明は、例えば図１(a)及び図２(a)、図３(d)及び図４(d)、図５(a)及び図６(a) 及び図７(a)及び図８(a)に示すように、前記内スリーブ２と前記外スリーブ３とを合わせた長さが前記内箱の対応する方向の長さとほぼ等しいことを特徴とする請求項１から請求項４のうちいずれか一に記載の梱包装置である。
【００１４】
したがって請求項５記載の発明によれば、内スリーブ２と外スリーブ３とからなるスリーブを伸ばした状態で内箱のほぼ全体をスリーブにより覆うことができる。
【００１５】
【発明の実施の形態】
以下に本発明の一実施形態につき図面を参照して説明する。以下は本発明の一実施形態であって本発明を限定するものではない。図１は、本梱包装置の開操作時各状態における斜視図である。図２は図１(a)〜(d)のそれぞれに対応する本梱包装置の縦断面模式図である。図３は、本梱包装置の閉操作時各状態における斜視図である。図４は図３(a)〜(d)のそれぞれに対応する本梱包装置の縦断面模式図である。図５は、本梱包装置の他の開閉操作時各状態における斜視図である。図６は図５(a)(b)のそれぞれに対応する本梱包装置の縦断面模式図である。図７は、本梱包装置の他の開閉操作時各状態における斜視図である。図８は図７(a)(b)のそれぞれに対応する本梱包装置の縦断面模式図である。便宜上、図１〜図８において内外各スリーブのスライド方向Ｓ１に沿って左側を上端、右側を下端として説明する。
【００１６】
まず、本実施形態につき図１及び図２を参照して説明する。
図１に示すように、本実施形態の梱包装置は、内箱１と、伸縮自在なスリーブ５とを備えて構成される。内箱１は長方形の底面部とその外周に立設された側壁部とから概略構成され、上面に開口部１ｂを有し内部に物品を収納することができる。スリーブ５は２段のスリーブ分割体としての内スリーブ２及び外スリーブ３から構成される。内箱１の少なくとも一部分はスリーブ５により包囲されている。図１(a)に示すように閉状態においては、内箱１の大部分はスリーブ５により包囲され、内箱１上面の開口部１ｂは覆われる。外スリーブ３の下端の上面及び裏面にはそれぞれ円弧状の切込３e（裏面側は図示せず）が設けられており、これにより閉状態においても内箱１の下端部が露出する。したがって、閉状態においても内箱１の下端部を手で掴みやすい。
内スリーブ２と外スリーブ３とは互いに連結されている。内スリーブ２は外スリーブ３の中に挿入される形で外スリーブ３と連結している。内スリーブ２が外スリーブ３内で外スリーブ３に対してスライド動作することによりスリーブ５が伸縮自在となっている。他の表現をすると、内スリーブ２と外スリーブ３とがより小さいスペースに集合することにより、スリーブ５は縮み、内スリーブ２と外スリーブ３とがより広いスペースに分散することにより、スリーブ５は伸びる。
【００１７】
ここで図２を参照して、本実施形態における係合部の設定、スライド動作につき説明する。
図２に示すように、内箱１は第一係合部１aを備えている。第一係合部１aは内箱１の裏面の上端付近に基端をおき、下端方向に折り曲げられている。
内スリーブ２は第一係合部２aと第四係合部２bと第二係合部２ｃと第三係合部２ｄとを備えている。第一係合部２aは内スリーブ２の裏面を構成する部材の下端に基端をおき、内側に折り曲げられ上端方向に延設されている。第四係合部２bは内スリーブ２の上面を構成する部材の下端に基端をおき、外側に折り曲げられ上端方向に延設されている。本実施形態において第二係合部２ｃは第一係合部２aと共通であるが、第一係合部２aを別の個所に設ける場合又は第一係合部２aを設けない場合は、内スリーブ２の裏面を構成する部材の下端部が第二係合部２ｃの役割を成す。第三係合部２ｄは、内スリーブ２の上端側の面を構成する部材と共通である。
外スリーブ３は第二係合部３aと第四係合部３bとを備えている。第二係合部３aは外スリーブ３の裏面を構成する部材の下端に基端をおき、内側に折り曲げられて上端方向に延設されている。第四係合部３bは外スリーブ３の上面を構成する部材の上端に基端をおき内側に折り曲げられて下端方向に延設されている。
以上のように５つの係合部１a，２a，２ｂ，３a，３ｂはそれぞれ本体より延出するフラップを折り曲げて形成されている。
【００１８】
内スリーブ２に対し外スリーブ３を図２上において右方向へスライドさせてスリーブ５を伸ばそうとしても、内スリーブ２の第四係合部２bと外スリーブ３の第四係合部３bとが互いに当接してしまえばそれ以上スリーブ５は伸びなくなる。ちょうど図１(a)及び図２(a)に示す状態である。このように内スリーブ２の第四係合部２bと外スリーブ３の第四係合部３bとが係合するとき、スリーブ５は最長となり、その長さは内箱の長さとほぼ等しくされている。
【００１９】
内スリーブ２に対し外スリーブ３を図２上において左方向のスライド方向Ｓ１へスライドさせてスリーブ５を縮めようとしても、内スリーブ２の第二係合部２ｃと外スリーブ３の第二係合部３aとが互いに当接してしまえばそれ以上スリーブ５は縮まなくなる。ちょうど図１(d)及び図２(d)に示すように内スリーブ２の上端位置と外スリーブ３の上端位置がほぼ一致する状態で内スリーブ２の第二係合部２ｃと外スリーブ３の第二係合部３aとが互いに当接して係合する。この場合、内スリーブ２と外スリーブ３とをほぼ同じ長さとしているので内スリーブ２が外スリーブ３内に収納された状態でそれ以上スリーブ５を縮める方向へは動かなくなる。
【００２０】
内スリーブ２に対し内箱１を図２(a)上において右方向へスライドさせると、内箱１が内スリーブ２から引き出されるが、内箱１の第一係合部１aと内スリーブ２の第一係合部２aとが互いに当接してしまえばそれ以上内箱１は引き出せなくなる。すなわち、内箱１が最も内側のスリーブ分割体である内スリーブ２から抜け出ることを第一係合部１a，２aが係合することにより止める。
【００２１】
最も内側のスリーブ分割体の一端である内スリーブ２の上端は、スリーブ５が伸びる際に他のスリーブ分割体である外スリーブ３から遠ざかる一端である。この内スリーブ２の上端に第三系合部２ｄが設けられている。第三系合部２ｄは、内スリーブ２の下端の開口から侵入してくる内箱１の上端を内スリーブ２の上端側へ突出させる（飛び出させる）ことを止める。内箱１を内スリーブ２の下端の開口から挿入しても、内箱１の上端が前記第三系合部２ｄに当接してしまえばそれ以上奥に挿入することはできない。内箱１の上端を内スリーブ２の第三系合部２ｄの内面に当接させる簡単な操作によって内箱１の上端側半分を内スリーブ２内にすっぽり収納することができる。
【００２２】
次に、図１及び図２を参照して開操作方法と、その操作に伴う梱包装置の動作とを説明する。
【００２３】
まず、図１(a)及び図２(a)に示す閉状態、すなわち、内スリーブ２及び外スリーブ３により内箱１が覆われて本梱包装置が閉じられた状態において、一方の手で内箱１の下端部を掴み、他方の手で外スリーブ３を掴む。このような持ち方の一例は図１(b)(c)にのみ描いた。
以上のように掴んだ上で両手を引き離すようにして動かすと内箱1に対して外スリーブ３が上端方向（図１矢印S1方向）に動き出す。外スリーブ３が上端方向に動き出すと同時に内スリーブ２が外スリーブ３の摩擦力を受けて押され、上端方向に動き出す（図１及び図２の(a)→図１及び図２の(b)）。さらに両手を引き離すように動かすことにより内箱1の第一係合部１aに内スリーブ２の第一係合部２aが当接して内箱１に対する内スリーブ２の動きが止まる（図１(c)及び図２(c)に示す状態）。ここまでの操作で、内スリーブ２が外スリーブ３内に多少滑りこんでいる場合があるが、それは内箱1と内スリーブ２との摩擦力や、内スリーブ２と外スリーブ３との摩擦力、操作者の掴む力、手を動かす操作の調子等による。
図１(c) 及び図２(c)に示す状態からさらに両手を引き離すように動かすことにより内スリーブ２の第二係合部２ｃに外スリーブ３の第二係合部３aが当接して内箱１及び内スリーブ２に対する外スリーブ３の動きが止まり、スリーブ５はそれ以上縮まなくなる（図１(d)及び図２(d)に示す状態）。図１(d)及び図２(d)に示す状態が本実施形態の梱包装置の完全な開状態である。
【００２４】
以上のスライド動作の結果、図１(d)及び図２(d)に示すように内スリーブ２が外スリーブ３内に収められ、かつ、内スリーブ２及び外スリーブ３から内箱１の一端が突出して本梱包装置が開かれた状態に変化する。
【００２５】
続いて、図３及び図４を参照して閉操作方法と、その操作に伴う梱包装置の動作とを説明する。図３(a)及び図４(a)に示す開状態は、図１(d)及び図２(d)に示す状態と同じ状態である。なお、持ち方の一例は図３(b)(c)にのみ描いた。
前述と同様に内箱１の下端部と外スリーブ３を持って、図３(a)及び図４(a)に示す開状態から両手を近づけるように動かすと、外スリーブ３とその中に収められて外スリーブ３に保持されている内スリーブ２とが一体となって内箱１に対して下端方向（図３矢印S1方向）に動き出す。さらに両手を近づけるように動かすと、内箱1の上端に内スリーブ２の第三係合部２ｄが当接し、内箱１に対する内スリーブ２の動きが止まる（図３(b)及び図４(b)に示す状態）。図３(b) 及び図４(b)に示す状態からさらに両手を近づけるように動かすと、内スリーブ２は内箱１の端部に係止されたまま動かず、外スリーブ３のみ内箱１及び内スリーブ２に対してスライドする（図３(b) 及び図４(b)→図３(c) 及び図４(c)）。内スリーブ2の第四係合部２bと外スリーブ３の第四係合部３bとが当接して外スリーブ３が止まり、それ以上スリーブ５が伸びなくなって図３(d) 及び図４(d)に示す閉状態、ずなわち、内スリーブ２及び外スリーブ３により内箱１が覆われて本梱包装置が閉じられた状態となる。
【００２６】
以上のように、同じ部分を持った状態で非常に簡単・円滑に開閉操作をおこなうことができその動作はおもしろく、内スリーブ２及び外スリーブ３が内箱１から分離しないので部品の紛失の心配もなく、しかも、開状態においても内箱１の上端から突出するスリーブ５の長さは内箱１の半分程度に収まり、全体で内箱１の長さの１．５倍程度という少ないスペースで開閉が可能である。
【００２７】
次に、図５及び図６を参照して半分ほど開閉するための操作方法と、その操作に伴う梱包装置の動作とを説明する。図５(a)及び図６(a)に示す開状態は、図１(a)及び図２(a)に示す状態と同じ状態である。
【００２８】
まず、図５(a)及び図６(a)に示す閉状態において、一方の手で内箱１の下端部を掴み、他方の手で内スリーブ２を掴む。このような持ち方の一例は図５(b)にのみ描いた。
以上のように掴んだ上で両手を引き離すようにして動かすと内箱1に対して内スリーブ２が上端方向（図５矢印S2方向）に動き出すとともに、内スリーブ２に引かれて外スリーブ３も上端方向に動き出す。さらに両手を引き離すように動かすことにより内箱1の第一係合部１aに内スリーブ２の第一係合部２aが当接して内箱１に対する内スリーブ２及び外スリーブ３の動きが止まる（図５(b)及び図６(b)に示す状態）。
以上のスライド動作の結果、図５(b)及び図６(b)に示すように内スリーブ２が内箱１の一端から突出し、かつ、外スリーブ３が内箱１のほぼ半分を覆い内箱１の残りのほぼ半分について開かれた状態に本梱包装置が変化する。
もちろん、そのままの持ちで両手を近づけるようにすれば図５(b)及び図６(b)に示す半開状態から図５(a)及び図６(a)に示す閉状態へ戻すことができる。
【００２９】
さらに、図７及び図８を参照して半分ほど開閉するための他の操作方法と、その操作に伴う梱包装置の動作とを説明する。図７(a)及び図８(a)に示す開状態は、図１(a)及び図２(a)に示す状態と同じ状態である。
【００３０】
まず、図７(a)及び図８(a)に示す閉状態において、図示するように一方の手で外スリーブ３を掴み、他方の手で内スリーブ２の上端を押えて両手を近づけると外スリーブ３が内箱１及び内スリーブ２に対して上端方向（図７矢印S1方向）に動き出す。さらに両手を近づけるように動かすことにより内スリーブ２の第二係合部２cに外スリーブ３の第二係合部３aが当接して内箱１及び内スリーブ２に対する外スリーブ３の動きが止まる（図７(b)及び図８(b)に示す状態）。
以上のスライド動作の結果、図７(b)及び図８(b)に示すように内スリーブ２が外スリーブ３内に収められ、かつ、内スリーブ２及び外スリーブ３が内箱１のほぼ半分を覆い内箱１の残りのほぼ半分について開かれた状態に本梱包装置が変化する。
もちろん、一方の手で内箱１の下端部を掴むか又は押え、他方の手で外スリーブ３を掴む態様に持ち替えて両手を近づけるようにすれば図７(b)及び図８(b)に示す半開状態から図７(a)及び図８(a)に示す閉状態へ戻すことができる。
【００３１】
次に、図９を参照して内箱１及び台紙６の構成につき説明する。図９(a)は内箱１及び台紙６の斜視図、(b)は内箱１の裏面側を見た斜視図である。
【００３２】
内箱１は、紙等の折り曲げ容易な一枚素材を打ち抜きせん断加工し、かかる加工材を折り曲げて組み立てられるものである。図９(a)に示すように内箱１は、底面部材１１と、底面部材１１の両側に連続する２つの側面部材１２，１２と、側面部材１２，１２の上端に連続する２つの内側面部材１３，１３と、２つの側面部材１２，１２間に架設された２つの端部上面部材１５，１５と、端部上面部材１５，１５の外方端に連続する下端部材１４及び上端部材（図示せず）と、端部上面部材１５，１５の内方端に連続する２つの内面フラップ１６，１６とから構成される。
内箱１の上端部及び下端部は端部上面部材１５，１５と、下端部材１４及び上端部材（図示せず）と、内面フラップ１６，１６とによりブロック状の構造で補強される。
内側面部材１３，１３は、内部に折り曲げられる。かかる内側面部材１３，１３の下端中央には切込１３aが内箱１の上下端方向に延設されている。内側面部材１３，１３の下端にはフラップ１７が付設され、内箱１の内側方向に谷折されている。
【００３３】
一方、台紙６は、例えば腕時計等の長尺物を保持するものであり、紙等の折り曲げ容易な一枚素材を打ち抜きせん断加工して構成されるものである。図９(a)に示すように台紙６の両側中央は凸状に形成されて凸部６５、６６が設けられている。その凸部６５、６６より両端部寄りに1ずつ切欠部６１，６２，６３，６４が設けられる。切欠部６１と切欠部６２は台紙６の相対する側部に設けられる。同様に切欠部６３と切欠部６４は台紙６の相対する側部に設けられる。ゴム紐６７が切欠部６１，６２，６３，６４に嵌められて、台紙６の幅方向に渡されるように固定される。したがって、例えば腕時計のバンド部等、物品の部分をゴム紐６７により締め付けて台紙６上に物品を保持することができる。
台紙６は内箱１内に設置される。台紙６の裏面が、底面部材１１の内面と合わされる態様で台紙６は設置される。その際、凸部６５、６６が切込１３aに嵌合することで台紙６は内箱１の底面の所定位置に固定される。
【００３４】
図９(b)に示すように、内箱１の裏面には底面部材１１の上端の一部が切り込まれてできるフラップにより第一係合部１aが付設されている。
【００３５】
次に、図１０を参照して内スリーブ２の構成につき説明する。図１０(a)(b)はそれぞれ内スリーブ２の斜視図である。
【００３６】
内スリーブ２は、紙等の折り曲げ容易な一枚素材を打ち抜きせん断加工し、かかる加工材を折り曲げて組み立てられるものである。図１０(a)に示すように内スリーブ２は、上面部材２１と、側面部材２２と、底面部材２３と側面部材２４とにより断面長方形の筒状に構成されている。上面部材２１の上端には凹フラップ２ｄ１が延設される。側面部材２２，２４の上端にはそれぞれフラップ２ｄ２，２ｄ４が延設される。底面部材２３の上端には凸フラップ２ｄ３が延設される。これらのフラップ２ｄ１，２ｄ２，２ｄ３，２ｄ４は上述した第三係合部２ｄを構成するものである。まず、凹フラップ２ｄ１を内側に折り、その次にフラップ２ｄ２，２ｄ４を凹フラップ２ｄ１に重ねるように折る。その次に凸フラップ２ｄ３を折り曲げて内スリーブ２内に押し込む。すると、凸フラップ２ｄ３の先端に設けられた凸部が、凹フラップ２ｄ１の先端に設けられた凹部及びフラップ２ｄ２，２ｄ４に嵌合し、４つのフラップ２ｄ１，２ｄ２，２ｄ３，２ｄ４が組まれて第三係合部２ｄが構成される。この第三係合部２ｄは内スリーブ２内部からある程度の力で押しても容易にはフラップ２ｄ１，２ｄ２，２ｄ３，２ｄ４が外れないように構成される。
【００３７】
図１０(b)に示すように第一係合部２aは底面部材２３の下端から延設されており、内スリーブ２内に折り曲げて構成される。第四係合部２bは上面部材２４の下端から延設されており、内スリーブ２の外に折り曲げて構成される。
【００３８】
次に、図１１を参照して外スリーブ３の構成につき説明する。図１１は外スリーブ３の斜視図である。
【００３９】
外スリーブ３は、紙等の折り曲げ容易な一枚素材を打ち抜きせん断加工し、かかる加工材を折り曲げて組み立てられるものである。図１１に示すように外スリーブ３は、上面部材３１と、側面部材３２と、底面部材３３と側面部材３４とにより断面長方形の筒状に構成されている。
上面部材３１の上端には第四係合部３bが延設される。側面部材３２，３４の下端にはそれぞれフラップ３ｃ，３ｄが延設される。底面部材３３の下端には第二係合部３aが延設される。これらの第四係合部３b、フラップ３ｃ，３ｄ及び第二係合部３aを外スリーブ３内に折り曲げて外スリーブ３の組み立てを完了する。
【００４０】
以上説明したような外スリーブ３の上端側から内スリーブ２を挿入して内スリーブ２と外スリーブ３とを連結する。その次に、内スリーブ２及び外スリーブ３の下端側から内箱1を挿入して内箱１を内スリーブ２に連結する。以上により図１〜図８に示した梱包装置が完成する。
【００４１】
次に、他の実施形態につき説明する。
上記実施形態においてはスリーブ５を２段としたが、3段以上とすることができる。その場合、上記内スリーブ２及び外スリーブ３と同様の構造の内スリーブ、外スリーブの他、中間スリーブ７が必要となる。図１２に中間スリーブ７の縦断面模式図を示す。中間スリーブ７には、内スリーブ２の第四係合部２bと同様の役割を担う第四係合部７ｂが設けられる。中間スリーブ７には、外スリーブ３の第二係合部３aと同様の役割を担う第二係合部７aが設けられる。さらに中間スリーブ７には、外スリーブ３の第四係合部３bと同様の役割を担う第四係合部７ｃが設けられる。
最も内側のスリーブ分割体を内スリーブとし、最も外側のスリーブ分割体を外スリーブとして、内スリーブと外スリーブの間に中間スリーブ７を一又は二以上介して連結することにより、3段又は４段以上の伸縮自在なスリーブが構成される。
各スリーブ分割体はほぼ同じ長さとすることが望ましい。3段のスリーブであれば、開状態とした際に内箱から突出するスリーブの長さは内箱の3分の１程度で済み、4段であれは4分の１程度で済む。すなわち、段数を多くするほど開閉操作を省スペースで行うことができる。
【００４２】
なお、以上の実施形態において、梱包装置の素材として紙を例示したが、本発明はこれに限定されるものではなく例えば、プラスチック素材、ビニール素材、木、金属等の各種の素材を用いてもよい。
また以上の実施形態においては紙等の折り曲げ容易な素材を折り曲げて組み立てる例を示したが、本発明はこれに限定されるものではなく、成形品や木工品等により構成してもよい。
また以上の実施形態において、収納する物品として腕時計を例示したが、本発明はそのような用途にのみ限定されるものではなく、他のあらゆる物品に用いることができる。また、物品は長尺物に限られないし、複数収納しても良い。例えば、キャラメル・チョコレート等の製造食品、タバコ等の嗜好品、ネクタイ・帯締め等の服飾品、ネックレス・ペンダント等の装身具、眼鏡類、香水・マニキュア・口紅等の化粧品、ばんそうこう・石けん等の保険衛生用品、数珠等の葬祭具、各種人形・おもちゃ類、トランプ・ゴルフボール等の遊戯具・運動用具、万年筆・ボールペン等の筆記具及び事務用品、フォーク・スプーン・はし等の飲食用具、包丁等の調理用具、登山ナイフ・理容はさみ等の刃物、携帯電話・デジタルカメラ・電子手帳等の電子機器又はそれらの備品、電池類、記録媒体類などを挙げることができる。
【００４３】
【発明の効果】
上述したように請求項１記載の発明によれば、内スリーブ２及び外スリーブ３からなるスリーブを内箱に対してスライドさせて開ける際に、外スリーブ３を内箱に対してスライドさせる簡便な操作によって、内外の各スリーブのスライド方向の長さを縮めつつ内箱を開けることができる。このため、スリーブが縮まるので内箱の長さと伸び切った状態のスリーブの長さとを合わせた長さより短い長さ分のスペースで開操作を行うことができ、開操作時の省スペース化が図られる。また、そのような開操作時のスリーブの縮小が見る者にとって興味深い動きとなって、開動作の興味深さが向上する。
さらに、内スリーブ２及び外スリーブ３は第一係合部及び第二係合部の働きにより内箱の一端に保持されるので、スリーブと内箱とが分離することは無く、梱包装置の部品の紛失が防がれる。
【００４４】
また、上述したように請求項２記載の発明によれば、内スリーブ２及び外スリーブ３からなるスリーブを内箱に対してスライドさせて閉める際に、外スリーブ３を内箱に対してスライドさせる簡便な操作によって、内外の各スリーブのスライド方向の長さを伸ばしつつ内箱を閉めることができる。このため、スリーブが縮まった状態から伸びるので内箱の長さと伸び切った状態のスリーブの長さとを合わせた長さより短い長さ分のスペースで閉操作を行うことができ、閉操作時の省スペース化が図られる。
また、そのような閉操作時のスリーブの伸張が見る者にとって興味深い動きとなって、閉動作の興味深さが向上する。
さらに、内スリーブ２及び外スリーブ３は第三係合部及び第四係合部の働きによりそれぞれ内箱の所定位置に保持されるので、スリーブと内箱とが分離することは無く、梱包装置の部品の紛失が防がれる。
【００４５】
また、上述したように請求項３記載の発明によれば、内スリーブ２及び外スリーブ３からなるスリーブを内箱に対してスライドさせて半分ほど開ける際に、内スリーブ２を内箱に対してスライドさせる簡便な操作によって、梱包装置を半分程開けることができる。
また、内スリーブ２及び外スリーブ３は第一係合部及び第四係合部の働きによりそれぞれ内箱の所定位置に保持されるので、スリーブと内箱とが分離することは無く、梱包装置の部品の紛失が防がれる。
【００４６】
また、上述したように請求項４記載の発明によれば、外スリーブ３を内スリーブ２に対してスライドさせる簡便な操作によって、内スリーブ２及び外スリーブ３は第二係合部の働きにより、内スリーブ２が外スリーブ３内に収められ状態で内箱寸法内の所定位置に保持されるので、全長を変えることなく半分ほど開けることができ、開操作時の省スペース化が図られるとともに、スリーブと内箱とが分離することが無く、梱包装置の部品の紛失が防がれる。
【００４７】
また、上述したように請求項５記載の発明によれば、内スリーブ２と外スリーブ３とからなるスリーブを伸ばした状態で内箱のほぼ全体をスリーブにより覆うことができる。
【図面の簡単な説明】
【図１】本発明第一実施形態の梱包装置の開操作時各状態における斜視図である。
【図２】図１(a)〜(d)のそれぞれに対応する梱包装置の縦断面模式図である。
【図３】本発明第一実施形態の梱包装置の閉操作時各状態における斜視図である。
【図４】図３(a)〜(d)のそれぞれに対応する梱包装置の縦断面模式図である。
【図５】本発明第二実施形態の梱包装置の他の開閉操作時各状態における斜視図である。
【図６】図５(a)(b)のそれぞれに対応する梱包装置の縦断面模式図である。
【図７】本発明第三実施形態の梱包装置の他の開閉操作時各状態における斜視図である。
【図８】図７(a)(b)のそれぞれに対応する梱包装置の縦断面模式図である。
【図９】  (a)は本発明における内箱１及び台紙６の斜視図、(b)は本発明における内箱１の裏面側を見た斜視図である。
【図１０】  (a)(b)はそれぞれ本発明における内スリーブ２の斜視図である。
【図１１】本発明における外スリーブ３の斜視図である。
【図１２】本発明他の実施形態における中間スリーブ７の斜視図ある。
【符号の説明】
１     内箱
２     内スリーブ
３     外スリーブ
５     スリーブ
６     台紙
７     中間スリーブ
１ａ，２ａ     第一係合部
２ｃ，３ａ，７ａ    第二係合部
２ｄ   第三係合部
２ｂ，３ｂ，７ｂ，７ｃ    第四係合部
１ｂ   開口部
【図１】
0003952763.tif 000002
【図２】
0003952763.tif 000003
【図３】
0003952763.tif 000004
【図４】
0003952763.tif 000005
【図５】
0003952763.tif 000006
【図６】
0003952763.tif 000007
【図７】
0003952763.tif 000008
【図８】
0003952763.tif 000009
【図９】
0003952763.tif 000010
【図１０】
0003952763.tif 000011
【図１１】
0003952763.tif 000012
【図１２】
0003952763.tif 000013